(57)【要約】  【目的】  着信時に携帯電話機が振動するように設定されている場合に振動音を抑える。  【構成】  着信があった場合に着信バイブレータがオンにされていると（ステップ52でＹＥＳ），バイブレータ装置が駆動し（ステップ53），携帯電話機が振動させられる。マイクロフォンにより振動音が検出される（ステップ49）。振動音が所定のレベル以上であれば（ステップ55でＹＥＳ），バイブレータ装置の駆動が停止させられる（ステップ56）。振動音による騒音の発生を抑えることができる。  【選択図】  図６
2005323130.tif 000002
【特許請求の範囲】
【請求項１】
入力する音声を音声信号に変換して送信し，かつ送信されてきた音声信号を受信して音声に変換して出力する携帯電話機において，
着信があったかどうかを判定する着信判定手段，
上記着信判定手段によって着信があったと判定されたことに応じて携帯電話機を振動させるバイブレータ装置，
上記バイブレータ装置による携帯電話機の振動音のレベルが所定のレベル以上かどうかを判定する振動音判定手段，
上記振動音判定手段により，上記振動音のレベルが所定のレベル以上であると判定されたことにより上記バイブレータ装置における携帯電話機の振動を停止するバイブレータ制御装置，ならびに
上記バイブレータ制御装置の制御により携帯電話機の振動が停止させられたことに応じて表示および音出力のいずれか一方により着信があったことを報知する着信報知手段，
を備えた携帯電話機。
【請求項２】
上記振動音判定手段が，
上記バイブレータ装置の振動音を入力し，振動音信号を出力するマイクロフォン，
上記バイブレータ装置の振動音に対応する振動音信号を通過する特性を有し，上記マイクロフォンから出力された振動音信号を入力するフィルタを備え，
上記フィルタを通過した信号にもとづいて，上記バイブレータ装置における振動音のレベルが所定のレベル以上かどうかを判定するものである，
請求項１に記載の携帯電話機。
【請求項３】
被写体を撮像し，被写体像を表す画像データを出力するディジタル・カメラ，および
上記被写体に補助光を照射するストロボ発光装置をさらに備え，
上記着信報知手段が，上記ストロボ発光装置を点灯または点滅させるものである，
請求項１に記載の携帯電話機。
【請求項４】
送信される画像データを受信する画像データ受信装置，
上記画像データ受信装置において受信した画像データによって表される画像を表示し，携帯電話機の外側に設けられている表示装置，および
上記表示装置を照明するバックライト装置をさらに備え，
上記着信報知手段が，上記バックライト装置を点灯または点滅させるものである，
請求項１に記載の携帯電話機。
【請求項５】
入力する音声を音声信号に変換して送信し，送信されてきた音声信号を受信して音声に変換して出力し，かつ着信があったことに応じて携帯電話機を振動させるバイブレータ装置を備えた携帯電話機において，
上記バイブレータ装置による携帯電話機の振動音のレベルが所定のレベル以上かどうかを判定し，
上記振動音のレベルが所定のレベル以上であると判定されたことにより上記バイブレータ装置における携帯電話機の振動を停止し，
上記バイブレータ制御装置の制御により携帯電話機の振動が停止させられたことに応じて表示および音出力のいずれか一方により着信があったことを報知する，
携帯電話機の制御方法。
【発明の詳細な説明】
【技術分野】
【０００１】
この発明は，携帯電話機およびその制御方法に関する。
【背景技術】
【０００２】
携帯電話機においては，電話の着信または電子メールの着信があったことをユーザに知らせるためにベル，着信メロディなどの着信音の変わりに携帯電話自体を振動させるバイブレータ機能を有するものが多い。バイブレータ機能は，ベル，着信メロディなどと異なり着信しても音が発生しない，あるいは音が発生しても比較的小さいから静かな場所で着信があった場合には便利である。しかしながら，携帯電話機が机の上などに置かれている場合には，携帯電話機が振動することにより着信音よりも大きな振動音が生じることがある。
【０００３】
このためにバイブレータ装置の動作電圧をマイクロフォンで受信した音圧により変化させてバイブレータ装置の振動音を小さくしようとするものがある（特許文献１）。しかしながら，携帯電話機の振動は停止しないので，以前として着信音よりも大きいことがある。
【特許文献１】特開平５−316016号公報
【０００４】
また，携帯電話機に振動検出センサを設け，振動音を制御するものもある（特許文献２）。しかしながら，振動検出センサが必要となる。
【特許文献２】特開2002−319997号公報
【発明の開示】
【０００５】
この発明は，比較的簡単に振動音を停止させることを目的とする。
【０００６】
この発明は，入力する音声を音声信号に変換して送信し，かつ送信されてきた音声信号を受信して音声に変換して出力する携帯電話機において，着信があったかどうかを判定する着信判定手段，上記着信判定手段によって着信があったと判定されたことに応じて携帯電話機を振動させるバイブレータ装置，上記バイブレータ装置による携帯電話機の振動音のレベルが所定のレベル以上かどうかを判定する振動音判定手段，上記振動音判定手段により，上記振動音のレベルが所定のレベル以上であると判定されたことにより上記バイブレータ装置における携帯電話機の振動を停止するバイブレータ制御装置，ならびに上記バイブレータ制御装置の制御により携帯電話機の振動が停止させられたことに応じて表示および音出力のいずれか一方により着信があったことを報知する着信報知手段を備えていることを特徴とする。
【０００７】
この発明は，上記携帯電話機に適した制御方法も提供している。すなわち，この方法は，入力する音声を音声信号に変換して送信し，送信されてきた音声信号を受信して音声に変換して出力し，かつ着信があったことに応じて携帯電話機を振動させるバイブレータ装置を備えた携帯電話機において，上記バイブレータ装置による携帯電話機の振動音のレベルが所定のレベル以上かどうかを判定し，上記振動音のレベルが所定のレベル以上であると判定されたことにより上記バイブレータ装置における携帯電話機の振動を停止し，上記バイブレータ制御装置の制御により携帯電話機の振動が停止させられたことに応じて表示および音出力のいずれか一方により着信があったことを報知するものである。
【０００８】
この発明によると，着信があったと判定されたことに応じて携帯電話機がバイブレータ装置によって振動させられる。バイブレータ装置における振動音のレベルが所定のレベル以上かどうかが判定させられ，所定のレベル以上と判定されたことによりバイブレータ装置が停止させられる。バイブレータ装置が停止させられるので，所定のレベル以上の振動音の発生を未然に防止できる。また，携帯電話機の振動が停止させられたことに応じて，表示および音出力のいずれか一方により着信があったことが報知される。携帯電話機の振動が停止してもユーザは着信があったことがわかる。
【０００９】
上記振動音判定手段は，たとえば，上記バイブレータ装置の振動音を入力し，振動音信号を出力するマイクロフォン（このマイクロフォンは，通話用のマイクロフォンと共通であっても共通でなくともよい），上記バイブレータ装置の振動音に対応する振動音信号を通過する特性を有し，上記マイクロフォンから出力された振動音信号を入力するフィルタを備える。この場合，上記フィルタを通過した信号にもとづいて，上記バイブレータ装置における振動音のレベルが所定のレベル以上かどうかを判定するものとなろう。
【００１０】
また，被写体を撮像し，被写体像を表す画像データを出力するディジタル・カメラ，および上記被写体に補助光を照射するストロボ発光装置をさらに備えるようにしてもよい。この場合，上記着信報知手段は，上記ストロボ発光装置を点灯または点滅させるものとなろう。
【００１１】
さらに，送信される画像データを受信する画像データ受信装置，上記画像データ受信装置において受信した画像データによって表される画像を表示し，携帯電話機の外側に設けられている表示装置，および上記表示装置を照明するバックライト装置をさらに備えるようにしてもよい。この場合，上記着信報知手段は，上記バックライト装置を点灯または点滅させるものとなろう。
【実施例】
【００１２】
図１は，この発明の実施例を示すもので，携帯電話機１の外観を示している。
【００１３】
携帯電話機１には，第１の半体２と第２の半体10とが含まれている。これらの第１の半体２と第２の半体10とはヒンジ16を中心に折り曲げ自在である。
【００１４】
第１の半体２には，その上部の右側にアンテナ３が設けられている。このアンテナ３は，第１の半体２に出し入れ自在である。第１の半体２の内側のほぼ全面にわたって表示画面５が形成されている。この表示画面には，文字，画像などが表示される。表示画面５の上部には，スピーカ４が設けられている。
【００１５】
第２の半体10の内側には，メニュー・ボタン13，上下左右の矢印が押下可能に形成されている上下左右ボタン14，決定ボタン15を含む操作ボタン類（テン・キーパッド，オン・フック・ボタン，オフ・フック・ボタン，クリア・ボタン，電話帳ボタンなど）11が形成されている。操作ボタン類11の下には，マイクロフォン12が設けられている。
【００１６】
図２は，携帯電話機１の第１の半体２および第２の半体10を折り曲げた状態を示している。
【００１７】
第１の半体２の外側には，第１の半体２の内側に設けられている表示画面５よりも小さな液晶表示画面６が形成されている。この液晶表示画面６には，時刻などが表示される。液晶表示画面６の近傍にはディジタル・カメラ７およびストロボ発光装置８が設けられている。ディジタル・カメラ７において撮像された被写体像が表示画面５および６に表示される。さらに，第１の半体２の外側の先端部分には発光ダイオード９が設けられている。発光ダイオード９は，着信があった場合などに発光するものである。
【００１８】
図３は，携帯電話機１の電気的構成を示すブロック図である。この図において，図１および図２に示すものと同一物には同一符号が付されている。
【００１９】
携帯電話機１の全体の動作は，ＣＰＵ20によって統括される。
【００２０】
携帯電話機１には，データ等を一時的に記憶するためのＲＡＭ21および動作プログラム等が記憶されているＲＯＭ23が含まれている。また，上述したように，携帯電話機１には，ディジタル・カメラ７およびストロボ発光装置８が含まれている。これらのディジタル・カメラ７およびストロボ発光装置８は，カメラ制御回路22によって撮像および発光が制御される。また，電源回路24が電源制御回路25によって制御され，携帯電話機１を構成する各回路に電源が供給される。
【００２１】
携帯電話機１はバイブレータ機能を有している。バイブレータ機能のために携帯電話機１にはバイブレータ装置26が含まれている。このバイブレータ装置26は，バイブレータ制御回路27によって制御される。また，携帯電話機１には着信があったことをユーザに知らせるために着信音スピーカ28が設けられている。この着信音スピーカ28は，着信音制御回路29によって制御される。
【００２２】
マイクロフォン12に与えられた音声は，音声信号に変換され送受話回路37を介して音声制御回路33内の変復調回路34に入力する。変復調回路34において入力した音声信号が変調され，無線制御回路32に与えられる。無線制御回路32からアンテナ３に，変調された音声信号が与えられ，通話相手の電話機に音声信号が送信される。
【００２３】
通話相手の電話機からの呼び出し信号がアンテナ３を介して無線制御回路32に入力すると，着信音制御回路29またはバイブレータ制御回路27によって着信音スピーカ28またはバイブレータ装置26が制御され，着信音が発生または携帯電話機１が振動する（着信音の発生，携帯電話機１の振動などは後述するように設定に応じて変わる）。着信があったことをユーザがわかると，ユーザによって操作ボタン類11の中のオフ・フック・ボタンが押され，通話が可能な状態となる。通話相手から送信された音声信号は，アンテナ３を介して無線制御回路32に入力される。音声信号は，音声制御回路33内に変復調回路34に与えられ，復調される。復調された音声信号が送受話回路37を介してスピーカ４に与えられることにより通話相手の声がスピーカ４から出力する。
【００２４】
上述したように，携帯電話機１には表示画面５をもつ表示装置５（表示装置も表示画面と同じ符号を用いる）および液晶表示装置６（液晶表示装置も液晶表示画面と同じ符号を用いる）が設けられている。液晶表示装置６の液晶表示画面６は，バックライト装置30によって照らされる。また，携帯電話機１には，外部機器と接続するための外部インターフェイス31が含まれている。
【００２５】
この実施例による携帯電話機１においては，着信があった場合には，設定に応じてバイブレータ装置26による携帯電話機１の振動および着信音スピーカ28から出力される着信音の少なくともいずれか一方によって着信があったことがユーザに報知される。着信があったことをバイブレータ装置26によって報知するように設定されている場合，携帯電話機１が机の上などに置かれていたときには携帯電話機１が振動することにより発生する振動音がうるさいことがある。このためにこの実施例による携帯電話機１においては，バイブレータ装置26により振動する携帯電話機１の振動音が検出される。検出された振動音が所定のレベル以上であると，バイブレータ装置26による振動が停止させられる。携帯電話機１が振動することにより発生する騒音を抑えることができる。
【００２６】
携帯電話機１が振動することにより発生する振動音を抑えるために携帯電話機１の音声制御回路33には，バイブレータ音検出回路35およびフィルタ36が含まれている。フィルタ36は，携帯電話機１の振動音を示す信号を通過する特性を有している。携帯電話機１が振動すると，発生した振動音はマイクロフォン12に入力する。振動音は，マイクロフォン12において振動音信号に変換され音声制御回路33のフィルタ36を通過してバイブレータ音検出回路35に入力する。上述したように，フィルタ36には，振動音の信号を通過する特性を有するものであるから，バイブレータ音検出回路35には振動音信号以外の音声信号は入力せず，振動音信号が入力することとなる。
【００２７】
バイブレータ音検出回路35に入力した振動音信号のレベルが所定のしきい値レベル以上かどうか判定される。入力した振動音信号のレベルが所定のしきい値レベル以上の場合には，バイブレータ音検出信号35からバイブレータ音検出信号が出力され，バイブレータ制御回路27に入力する。バイブレータ制御回路27によってバイブレータ装置26が停止させられる。
【００２８】
携帯電話機１の振動音入力するマイクロフォン12は上述したように通話用のものであるが，通話用のマイクロフォンを用いずに振動音を検出するための別のマイクロフォンを携帯電話機１に設けるようにしてもよい。
【００２９】
図４は携帯電話機１におけるマナー・モードを設定する手順を示すフローチャート，図５は表示画面５に表示されるマナー設定メニュー画像の一例である。
【００３０】
携帯電話機１のメニュー・ボタンが押されると，表示画面５にはメニュー画像が表示される。メニュー画像の中には各種の設定を行うためのアイコンが表示される。ユーザによってマナー設定が選択されると（ステップ41でＹＥＳ），表示画面５には図５に示すマナー設定画像が表示される（ステップ42）。
【００３１】
マナー設定画像を用いて，キー確認音の設定，着信バイブレータの設定，バイブレータ自動停止時の設定，着信音量の設定などが可能である。キー確認音の設定は，携帯電話機１の操作ボタン類11が押されることに応じて発生する音のオン，オフを設定するものである。着信バイブレータの設定は，上述のように着信があったことによりバイブレータ装置26により携帯電話機１を振動させる機能をオン，オフするものである。バイブレータ自動停止時の設定は，上述したようにバイブレータ装置26による携帯電話機１の振動により生じる振動音のレベルが所定レベル以上であった場合にバイブレータ装置26による携帯電話機１の振動が停止させられたときの動作を規定するものである。後述する着信音の設定がオフにされている場合には，着信されたことがユーザにはわからない。このために，携帯電話機１の振動が停止させられた場合に着信があったことをユーザに知らせるための設定バイブレータ自動停止時の設定である。バイブレータ自動停止時の設定には「ＬＥＤ」，「ストロボ」，「音出力」および「非報知」がある。「ＬＥＤ」は，バイブレータ装置26による振動が停止させられた場合に，発光ダイオード９を発光（点灯または点滅）させることにより着信があったことをユーザに知らせるように設定するものである。同様に，「ストロボ」は，ストロボ発光装置８を発光（点灯または点滅）させることにより，「音出力」は，着信音スピーカ28から着信音を出力することにより着信があったことをユーザに知らせるものである。「非報知」は，着信があった場合でもバイブレータ装置26が停止させられたときには，ユーザにとくに知らせないものである。
【００３２】
マナー設定画像には，これらの設定可能な項目およびその設定内容（オン，オフなど）が表示される。マナー設定画像に表示される項目およびその設定内容のうち，いずれか一つの項目および設定内容を囲むようにカーソルＣが表示される。カーソルＣは，携帯電話機１に設けられている上下左右ボタンの上矢印または下矢印の押下に応じて上方向または下方向に移動する。上下左右ボタンの左矢印または右矢印の押下に応じて，カーソルＣで囲まれている設定項目の設定内容が変わる。
【００３３】
図４に戻って，着信バイブレータの設定がオンにされると（ステップ43でＹＥＳ），その旨が携帯電話機１の記憶させられる（ステップ44）。着信バイブレータの設定がオフであると（ステップ43でＮＯ），ステップ44の処理はスキップされる。
【００３４】
バイブレータ自動停止時の処理が設定されると（ステップ45でＮＯ），その設定された処理内容が携帯電話機１に記憶させられる（ステップ46）。
【００３５】
以下，同様にして他の項目も設定されるようになる。
【００３６】
図６は，携帯電話機１が待ち受けモードになっているときの処理手順を示すフローチャートである。
【００３７】
着信があると（ステップ51でＹＥＳ），着信バイブレータの設定がオンとされているかどうかが確認される（ステップ52）。着信バイブレータの設定がオンにされていると（ステップ52でＹＥＳ），着信があったことによりバイブレータ装置26の駆動が開始させられる（ステップ53）。携帯電話機１が振動するのでユーザは着信（通話，電子メールのいずれでもよい）があったことがわかる。
【００３８】
上述したように，携帯電話機１が振動することにより発生する振動音がマイクロフォン12に入力し（ステップ54），振動音信号がバイブレータ音検出回路35に入力する。バイブレータ音検出回路35に入力した振動音信号のレベルが所定のレベル以上であれば（ステップ55でＹＥＳ），振動音によりうるさく感じられるので携帯電話機１の振動を停止するためにバイブレータ装置26の駆動が停止させられる（ステップ56）。
【００３９】
バイブレータ装置26が停止させられた場合（バイブレータ自動停止時）の設定が「非報知」かどうかが確認される（ステップ57），「非報知」に設定されていなければ（ステップ57でＮＯ），設定されている内容に応じて，上述したように着信報知が行われれる（ステップ58）。「ＬＥＤ」に設定されていれば，発光ダイオード９が発光し，「ストロボ」が設定されていればストロボ発光装置８が発光し，「音出力」が設定されていれば着信音スピーカ28から音が出力される。「非報知」に設定されていると報知処理はスキップされる。
【００４０】
着信バイブレータがオフに設定されていると（ステップ52でＮＯ），ステップ53から58の処理はスキップされる。また，バイブレータ装置26が駆動させられることにより生じる携帯電話機１の振動音が所定のレベル未満であれば（ステップ55でＮＯ），ステップ56から58の処理はスキップされる。
【００４１】
ユーザによってオフ・フック・ボタンが押されると，受話動作となり（ステップ59でＹＥＳ），通話が開始される。メニュー・ボタン13が押され，電子メールの閲覧が選択されると，電子メールの閲覧動作などの通信処理が行われる。
【図面の簡単な説明】
【００４２】
【図１】携帯電話機の外観を示している。
【図２】携帯電話機を折り曲げた状態を示している。
【図３】携帯電話機の電気的構成を示すブロック図である。
【図４】マナー・モード設定処理手順を示すフローチャートである。
【図５】マナー設定画像の一例である。
【図６】待ち受けモードの処理手順の一例である。
【符号の説明】
【００４３】
１  携帯電話機
３  アンテナ
４  スピーカ
５  表示画面
６  液晶表示画面
７  ディジタル・カメラ
８  ストロボ発光装置
９  発光ダイオード
11  操作ボタン類
12  マイクロフォン
20  ＣＰＵ（着信判定手段）
22  カメラ制御回路
26  バイブレータ装置
27  バイブレータ制御装置
28  着信音スピーカ
29  着信音制御回路
33  音声制御回路
35  バイブレータ音検出回路
36  フィルタ
【図１】
2005323130.tif 000003
【図２】
2005323130.tif 000004
【図３】
2005323130.tif 000005
【図４】
2005323130.tif 000006
【図５】
2005323130.tif 000007
【図６】
2005323130.tif 000008